(57)【要約】      （修正有）【課題】噴霧ユニットが回動できる噴霧装置及び該噴霧装置を備えた噴霧システムを提供する。【解決手段】導入口と送水口とが開けられ、導入口４１１及び送水口４１２と連通している水通路４１０を囲むように形成されている中空ベース４１と、両端に入水口４３１と出水口４３２とを有するように形成され、入水口４３１が常時送水口４１２と連通するように中空ベース４１に回動可能に取付けられていて回動すると出水口４３１を有する端部も該回動と共に位置を移動することができる回動ユニット４３と、回動ユニット４３を中空ベース４１に固定し、且つ回動ユニット４３と中空ベース４１との接続箇所から水が漏れないように該接続箇所を包んでいる固定キャップ４４と、回動ユニット４３に取付けられ、回動ユニット４３の出水口４３２からの水を噴出する噴霧ユニット４５と、を備えることを特徴とする噴霧装置を提供する。【選択図】図４
0003183495.tif 000002
【実用新案登録請求の範囲】
【請求項１】
導入口と送水口とが開けられ、前記導入口及び前記送水口と連通している水通路を囲むように形成されている中空ベースと、
両端にそれぞれ入水口と出水口とを有するように中空に形成され、前記入水口が常時前記送水口と連通するように前記中空ベースに回動可能に取付けられていて回動すると前記出水口を有する端部も該回動と共に位置を移動することができる回動ユニットと、
前記回動ユニットの前記中空ベースに対する可動性を保ったまま、前記回動ユニットを前記中空ベースに固定し、且つ前記回動ユニットと前記中空ベースとの接続箇所から水が漏れないように該接続箇所を包んでいる固定キャップと、
前記回動ユニットに取付けられ、前記回動ユニットの前記出水口からの水を噴出する噴霧ユニットと、を備えることを特徴とする噴霧装置。
【請求項２】
前記回動ユニットは、先端に前記入水口を有する挿入端部と、先端に前記出水口を有する可動端部と、前記挿入端部と前記可動端部との間に介在する湾曲部と、を有し、
前記固定キャップは、前記回動ユニットにより挿通されている底板と、前記底板の周縁から突出するように形成されている周壁と、からなり、
更に、前記回動ユニットには前記挿入端部の外周面から張り出し、前記送水口の端縁と前記固定キャップの前記底板との間に挟まれている回転フランジが形成されていることを特徴とする請求項１に記載の噴霧装置。
【請求項３】
前記回動ユニットは、先端に前記入水口を有する挿入端部と、先端に前記出水口を有する可動端部と、を有し、
前記挿入端部は略球状に形成されており、
前記送水口の端縁及び前記固定キャップは、それぞれ前記挿入端部の形状に対応する凹球面を有し、前記送水口の端縁及び前記固定キャップそれぞれが有する前記凹球面の間に、前記挿入端部が回転可能に挟まれていることを特徴とする請求項１に記載の噴霧装置。
【請求項４】
前記中空ベースに接続口が更に開けられており、
前記水通路は、所定方向に沿って、前記導入口と前記接続口とを繋ぐ第１の通路と、前記第１の通路から分岐して前記送水口と連通する第２の通路と、からなるようにＴ字状に形成されていることを特徴とする請求項２または請求項３に記載の噴霧装置。
【請求項５】
前記水通路は、所定方向に沿って、前記導入口から延伸する第１の通路と、前記第１の通路が延伸する先端から曲がって前記送水口と連通する第２の通路と、からなるようにＬ字状に形成されていることを特徴とする請求項２または請求項３に記載の噴霧装置。
【請求項６】
第１の噴霧装置として少なくとも１つの請求項４に記載の噴霧装置と、
第２の噴霧装置として１つの請求項５に記載の噴霧装置と、
水源手段からの水をすべての前記第１の噴霧装置を一連に経由して前記第２の噴霧装置まで送り届ける水転送手段と、を備え、
前記水転送手段は、水を転送する経路において前記水源手段と該水源手段に隣接する前記第１の噴霧装置が有する前記導入口とを繋いで前記水源手段からの水を該第１の噴霧装置に転送する導入ホースと、
水を転送する経路において互いに隣り合う２つの前記第１の噴霧装置の間、または水を転送する経路において前記第２の噴霧装置と該第２の噴霧装置の上流側で隣接する第１の噴霧装置との間に介在し、水を転送する経路において上流側にある第１の噴霧装置が有する前記導入口と水を転送する経路において下流側にある第１の噴霧装置または第２の噴霧装置が有する前記導入口とを繋いで前記水源手段からの水を転送する接続ホースと、を備えることを特徴とする噴霧システム。
【考案の詳細な説明】
【技術分野】
【０００１】
本考案は噴霧装置及び該噴霧装置を備えた噴霧システムに関し、特に、噴霧ユニットが回動できる噴霧装置及び該噴霧装置を備えた噴霧システムに関する。
【背景技術】
【０００２】
従来の噴霧システムは、例えば図１（特許文献１）に示されているように、複数のホース１１によって繋げられている複数の噴霧装置１２を備えている。
【０００３】
噴霧装置１２の構成は断面図である図２に示されているように、接続ユニット１２１と噴霧ユニット１２６とを備えてなるものであり、接続ユニット１２１は、左右両端がそれぞれ１つのホース１１と接続することができ、そして図中の下端に噴霧ユニット１２６が取付けられ、一側のホース１１から送られてきた水を反対側のホース１１及び噴霧ユニット１２６に送ることができるようにＴ字形の水通路１２４を囲むように形成されている。
【０００４】
この構成において、ホース１１が取付けられている接続ユニット１２１の接続端部１２２は、ホース１１との水密性を保つべくホース１１に対して回転不能になっているが、これにより噴霧ユニット１２６の位置も相対的に固定されるようになり、噴霧ユニット１２６から水が噴出される角度を変えることもできなくなる。
【先行技術文献】
【特許文献】
【０００５】
【特許文献１】台湾特許第Ｉ３４２７９８号明細書
【考案の概要】
【考案が解決しようとする課題】
【０００６】
上記のように、従来の噴霧装置や従来の噴霧システムは、噴霧ユニットから水が噴出される角度を変えることができないという問題がある。本考案は、上記問題点に鑑みてなされたものであり、噴霧ユニットが回動できる噴霧装置及び該噴霧装置を備えた噴霧システムの提供を目的とする。
【課題を解決するための手段】
【０００７】
上記目的を達成すべく、本考案は、導入口と送水口とが開けられ、前記導入口及び前記送水口と連通している水通路を囲むように形成されている中空ベースと、両端にそれぞれ入水口と出水口とを有するように中空に形成され、前記入水口が常時前記送水口と連通するように前記中空ベースに回動可能に取付けられていて回動すると前記出水口を有する端部も該回動と共に位置を移動することができる回動ユニットと、前記回動ユニットの前記中空ベースに対する可動性を保ったまま、前記回動ユニットを前記中空ベースに固定し、且つ前記回動ユニットと前記中空ベースとの接続箇所から水が漏れないように該接続箇所を包んでいる固定キャップと、前記回動ユニットに取付けられ、前記回動ユニットの前記出水口からの水を噴出する噴霧ユニットと、を備えることを特徴とする噴霧装置を提供する。
【０００８】
上記噴霧装置において、前記回動ユニットは、先端に前記入水口を有する挿入端部と、先端に前記出水口を有する可動端部と、前記挿入端部と前記可動端部との間に介在する湾曲部と、を有し、前記固定キャップは、前記回動ユニットにより挿通されている底板と、前記底板の周縁から突出するように形成されている周壁と、からなり、更に、前記回動ユニットには前記挿入端部の外周面から張り出し、前記送水口の端縁と前記固定キャップの前記底板との間に挟まれている回転フランジが形成されていることが好ましい。
【０００９】
上記噴霧装置において、前記回動ユニットは、先端に前記入水口を有する挿入端部と、先端に前記出水口を有する可動端部と、を有し、前記挿入端部は略球状に形成されており、前記送水口の端縁及び前記固定キャップは、それぞれ前記挿入端部の形状に対応する凹球面を有し、前記送水口の端縁及び前記固定キャップそれぞれが有する前記凹球面の間に、前記挿入端部が回転可能に挟まれるように構成されることもできる。
【００１０】
上記噴霧装置において、前記中空ベースに接続口が更に開けられており、前記水通路は、所定方向に沿って、前記導入口と前記接続口とを繋ぐ第１の通路と、前記第１の通路から分岐して前記送水口と連通する第２の通路と、からなるようにＴ字状に形成されていることが好ましい。
【００１１】
上記噴霧装置において、前記水通路は、所定方向に沿って、前記導入口から延伸する第１の通路と、前記第１の通路が延伸する先端から曲がって前記送水口と連通する第２の通路と、からなるようにＬ字状に形成されていることもできる。
【００１２】
また、本考案は、第１の噴霧装置として、少なくとも１つの前記水通路がＴ字状に形成されている噴霧装置と、第２の噴霧装置として１つの前記水通路がＬ字状に形成されている噴霧装置と、水源手段からの水をすべての前記第１の噴霧装置を一連に経由して前記第２の噴霧装置まで送り届ける水転送手段と、を備え、前記水転送手段は、水を転送する経路において前記水源手段と該水源手段に隣接する前記第１の噴霧装置が有する前記導入口とを繋いで前記水源手段からの水を該第１の噴霧装置に転送する導入ホースと、水を転送する経路において互いに隣り合う２つの前記第１の噴霧装置の間、または水を転送する経路において前記第２の噴霧装置と該第２の噴霧装置の上流側で隣接する第１の噴霧装置との間に介在し、水を転送する経路において上流側にある第１の噴霧装置が有する前記導入口と水を転送する経路において下流側にある第１の噴霧装置または第２の噴霧装置が有する前記導入口とを繋いで前記水源手段からの水を転送する接続ホースと、を備える噴霧システムをも提供する。
【考案の効果】
【００１３】
上記構成により、本考案の噴霧装置中空ベースに回動可能に取付けられていて回動すると出水口を有する端部も該回動と共に位置を移動することができる回動ユニットを備えているので、回動ユニットに取付けられている噴霧ユニットから水が噴出される角度を変えることができるようになる。
【図面の簡単な説明】
【００１４】
【図１】従来の噴霧システムが示されている斜視図である。
【図２】従来の噴霧システムに用いられる噴霧装置の断面図である。
【図３】本考案の噴霧システムの第１の実施形態が示されている側面図である。
【図４】本考案の噴霧システムの第１の実施形態において用いられる第１の噴霧装置及び第２の噴霧装置の構成が示されている断面図である。
【図５】本考案の噴霧システムの第１の実施形態において用いられる第１の噴霧装置の分解図である。
【図６】本考案の噴霧システムの第１の実施形態において用いられる第２の噴霧装置の分解図である。
【図７】本考案の噴霧システムの第２の実施形態において用いられる第１の噴霧装置及び第２の噴霧装置の構成が示されている断面図である。
【図８】本考案の噴霧システムの第２の実施形態において用いられる第１の噴霧装置の分解図である。
【考案を実施するための形態】
【００１５】
以下では各図面を参照しながら、本考案の各好ましい実施形態について詳しく説明する。
【００１６】
図３は本考案の噴霧システムの第１の実施形態が示されている側面図であり、図４は本考案の噴霧システムの第１の実施形態において用いられる第１の噴霧装置及び第２の噴霧装置の構成が示されている断面図である。また、図５は本考案の噴霧システムの第１の実施形態において用いられる第１の噴霧装置の分解図であり、図６は本考案の噴霧システムの第１の実施形態において用いられる第２の噴霧装置の分解図である。
【００１７】
図３に示されているように、本考案の噴霧システムは水源手段６からの水を一連の噴霧装置に送って噴霧させるものであり、従って、本考案の噴霧システムに使用される噴霧装置として、両側がそれぞれホースを介して他の噴霧装置または水源手段に接続されている第１の噴霧装置４と、水源手段６からの水が転送される一連の噴霧装置において最後尾に配置されるものとして一側のみがホースを介して他の噴霧装置に接続され、その反対側に開口がない第２の噴霧装置５と、が使用されている。
【００１８】
本考案に使用される第１の噴霧装置４は、図４、図５に示されているように、両側がそれぞれホースを介して他の噴霧装置または水源手段６に接続するので、水通路４１０を囲む中空ベース４１に水通路４１０とそれぞれ連通している２つの導入口４１１と送水口４１２と接続口４１３とが開けられており、そして水通路４１０は、所定方向（図３、図４における左右方向に該当）に沿って、各導入口４１１と送水口４１２とを繋ぐ第１の通路４１０Ａと、第１の通路４１０Ａから分岐して接続口４１３と連通する第２の通路４１０Ｂと、からなるようにＴ字状に形成されている。
【００１９】
また、第１の噴霧装置４は、中空ベース４１のほか、両端にそれぞれ入水口４３１と出水口４３２とを有するように中空に形成され、入水口４３１が常時送水口４１２と連通するように中空ベース４１に回動可能に取付けられ、且つ回動すると出水口４３２を有する端部が該回動と共に位置を移動することができる回動ユニット４３と、回動ユニット４３と中空ベース４１との接続箇所から水が漏れないように該接続箇所を包むと共に、回動ユニット４３の中空ベース４１に対する可動性を保ったまま、回動ユニット４３を中空ベース４１に固定する固定キャップ４４と、回動ユニット４３に取付けられ、回動ユニット４３の出水口４３２からの水を噴出する噴霧ユニット４５と、を備えている。
【００２０】
一方、本考案に使用される第２の噴霧装置５は、第１の噴霧装置４と類似する構成になっているが、水源手段６からの水が転送される一連の噴霧装置において最後尾に配置されるものとして一側のみがホースを介して他の噴霧装置に接続されるので、第１の噴霧装置４が有する２つの導入口４１１のうちの一つに該当する構成が省略されている。即ち、第２の噴霧装置５は最後尾に配置されるもので一側のみがホースを介して他の噴霧装置に接続され、その反対側に開口がないので、水通路５１０を囲む中空ベース５１に水通路５１０と連通している導入口５１１と送水口５１２とが開けられており、そして水通路５１０は、所定方向に沿って、導入口５１１から延伸する第１の通路５１０Ａと、第１の通路５１０Ａが延伸する先端から曲がって送水口５１２と連通する第２の通路５１０Ｂと、からなるようにＬ字状に形成されている。
【００２１】
また、第２の噴霧装置５は、中空ベース５１のほか、両端にそれぞれ入水口５３１と出水口５３２とを有するように中空に形成され、入水口５３１が常時前記送水口５１２と連通するように中空ベース５１に回動可能に取付けられ、且つ回動すると出水口５３２を有する端部が該回動と共に位置を移動することができる回動ユニット５３と、回動ユニット５３と中空ベース５１との接続箇所から水が漏れないように該接続箇所を包むと共に、回動ユニット５３の中空ベース５１に対する可動性を保ったまま、回動ユニット５３を中空ベース５１に固定する固定キャップ５４と、回動ユニット５３に取付けられ、回動ユニット５３の出水口５３２からの水を噴出する噴霧ユニット５５と、を備えている。
【００２２】
即ち、本考案の噴霧システムは、第１の噴霧装置４として、水通路４１０がＴ字状に形成されている少なくとも１つの噴霧装置と、第２の噴霧装置５として、水通路５１０がＬ字状に形成されている１つの噴霧装置と、水源手段６からの水をすべての第１の噴霧装置４を一連に経由して第２の噴霧装置５まで送り届ける水転送手段２と、を備えている。
【００２３】
そして、水転送手段２は、水を転送する経路において水源手段６と該水源手段６に隣接する第１の噴霧装置４が有する導入口４１１とを繋いで水源手段６からの水を該第１の噴霧装置４に転送する導入ホース２１と、水を転送する経路において互いに隣り合う２つの第１の噴霧装置４の間、または水を転送する経路において第２の噴霧装置５と該第２の噴霧装置５の上流側で隣接する第１の噴霧装置４との間に介在し、水を転送する経路において上流側にある第１の噴霧装置４が有する導入口４１１と水を転送する経路において下流側にある第１の噴霧装置４または第２の噴霧装置５が有する導入口４１１または導入口５１１とを繋いで水源手段６からの水を転送する接続ホース２２と、を備えている。
【００２４】
ここで、本考案の噴霧システムの第１の実施形態に使用される第１の噴霧装置４や第２の噴霧装置５が有する回動ユニット４３、５３及び固定キャップ４４、５４について説明するが、第２の噴霧装置５が有する回動ユニット５３及び固定キャップ５４は第１の噴霧装置４が有する回動ユニット４３及び固定キャップ４４と同様の構成になっているので、ここでは第１の噴霧装置４を代表として取り上げ、図４〜図６を用いて説明する。
【００２５】
図４〜図６に示されているように、回動ユニット４３は中空の管状体に形成され、先端に入水口４３１を有する挿入端部４３４と、先端に出水口４３２を有する可動端部４３５と、挿入端部４３４と可動端部４３５との間に介在する湾曲部４３３と、を有していると共に、回動ユニット４３には挿入端部４３４の外周面から張り出す回転フランジ４３６が設けられている。固定キャップ４４は、回動ユニット４３により挿通されている底板４４１と、底板４４１の周縁から突出するように形成されている周壁４４２と、からなり、回動ユニット４３の中空ベース４１に対する可動性を保ったまま、回動ユニット４３に設けられている回転フランジ４３６をその底板４４１と中空ベース４１が有する送水口４１２の端縁とで挟むように、中空ベース４１に取付けられている。ちなみに、中空ベース４１の導入口４１１または接続口４１３とそこに取付けられているホース（導入ホース２１または接続ホース２２）との間に水密スリーブ４２が取付けられており、そして中空ベース５１の導入口５１１とそこに取付けられている接続ホース２２との間にも水密スリーブ５２が取付けられている。
【００２６】
この構成により、回動ユニット４３が挿入端部４３４を軸として回転すると、出水口４３２を有する可動端部４３５及び噴霧ユニット５５の位置が変わるので、水が噴出される角度を変えることができる。
【００２７】
続いて、図７及び図８を用いて本考案の噴霧システムの第２の実施形態について説明する。図７は本考案の噴霧システムの第２の実施形態において用いられる第１の噴霧装置及び第２の噴霧装置の構成が示されている断面図であり、図８は本考案の噴霧システムの第２の実施形態において用いられる第１の噴霧装置の分解図である。
【００２８】
図示されているように、本考案の噴霧システムの第２の実施形態は第１の実施形態とほぼ同じ構成になっているが、この第２の実施形態に用いられる噴霧装置と第１の実施形態に用いられる噴霧装置とは、主に回動ユニットの構成が異なり、そして第２の実施形態に用いられる噴霧装置における中空ベース及び固定キャップも、回動ユニットの構成に応じて変更が加えられている。第１の噴霧装置４と第２の噴霧装置５とに使用される回動ユニットの構成は同様なので、以下では第１の噴霧装置４を代表として取り上げて説明する。
【００２９】
図７に示されているように、第２の実施形態に用いられる第１噴霧装置４が有する回動ユニット４３Ａは、先端に入水口４３１を有する挿入端部４３７と、先端に出水口４３２を有する可動端部４３５と、を有し、挿入端部４３７は略球状に形成されている。中空ベース４１Ａが有する送水口４１２Ａの端縁及び固定キャップ４４Ａは、それぞれ挿入端部４３７の形状に対応する凹球面を有するように形成されている。従って、送水口４１２Ａの端縁及び固定キャップ４４Ａそれぞれが有する凹球面の間に、回動ユニット４３Ａの挿入端部４３７を回転可能に挟むことができる。ちなみに、挿入端部４３７と送水口４１２Ａの端縁との間に水密リング４１６が介在している。
【００３０】
この第２の実施形態では挿入端部４３７を略球状に形成することにより、回動ユニット４３Ａの略球状に形成されている挿入端部４３７と、中空ベース４１Ａが有する送水口４１２Ａの端縁及び固定キャップ４４Ａがそれぞれ有する凹球面でボールジョイントが構成されるようになり、出水口４３２を有する可動端部４３５及び噴霧ユニット４５の位置が三次元的に回転自在に変わるので、第１の実施形態より可動範囲が向上している。
【００３１】
上記説明は本考案の例示に過ぎず、本考案は上記第１または第２の実施形態によって制限されるものではない。例えば、一連の噴霧装置において最後尾に配置されるものとして第２の噴霧装置を使わず、代わりに２つの導入口の内の下流側の１つが封止される第１の噴霧装置を使用する構成を用いることも可能である。
【産業上の利用可能性】
【００３２】
上記構成により、本考案の噴霧装置は、中空ベースに回動可能に取付けられていて回動すると出水口を有する端部も該回動と共に位置を移動することができる回動ユニットを備えているので、回動ユニットに取付けられている噴霧ユニットから水が噴出される角度を変えることができるようになる。
【符号の説明】
【００３３】
２  水転送手段
２１  導入ホース
２２  接続ホース
４  第１の噴霧装置
４１、４１Ａ  中空ベース
４１０  水通路
４１０Ａ  第１の通路
４１０Ｂ  第２の通路
４１１  導入口
４１２、４１２Ａ  送水口
４１３  接続口
４３、４３Ａ  回動ユニット
４３１  入水口
４３２  出水口
４３３  湾曲部
４３４  挿入端部
４３５  可動端部
４３６  回転フランジ
４３７  挿入端部
４４、４４Ａ  固定キャップ
４４１  底板
４４２  周壁
４５  噴霧ユニット
５  第２の噴霧装置
５１  中空ベース
５１０  水通路
５１０Ａ  第１の通路
５１０Ｂ  第２の通路
５１１  導入口
５１２  送水口
５３  回動ユニット
５３１  入水口
５３２  出水口
５４  固定キャップ
５５  噴霧ユニット
６  水源手段
【図１】
0003183495.tif 000003
【図２】
0003183495.tif 000004
【図３】
0003183495.tif 000005
【図４】
0003183495.tif 000006
【図５】
0003183495.tif 000007
【図６】
0003183495.tif 000008
【図７】
0003183495.tif 000009
【図８】
0003183495.tif 000010